Podtech/llm-jp-corpus-v4-ja_patent huggingface dataset:
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
ａ）ｃｆＤＮＡ分子の配列リードのセットを提供するステップであって、前記配列リードが、参照ゲノムの選択されたゲノム領域にマッピングされる、ステップと、
ｂ）前記ゲノム領域内の複数の遺伝子変異体を含むセットの対立遺伝子頻度を決定するステップであって、前記セットが、目的の変異体を含む、ステップと、
ｃ）前記セット内の前記遺伝子変異体の前記対立遺伝子頻度の変動性値を決定するステップと、
ｄ）変動性値閾値および対立遺伝子頻度閾値を提供するステップと、
ｅ）前記変動性値が前記変動性閾値を下回るかどうかを決定するステップと、
ｆ）前記変動性値が前記変動性閾値を下回る場合、
（ｉ）前記目的の変異体の前記対立遺伝子頻度が前記対立遺伝子頻度閾値を上回る場合には前記目的の変異体が生殖系列起源を有するとコールし、
（ｉｉ）前記目的の変異体の前記対立遺伝子頻度が前記対立遺伝子頻度閾値を下回る場合には前記目的の変異体が体細胞起源を有するとコールするステップと
を含む、方法。
【請求項２】
変動性値および目的の変異体の対立遺伝子頻度を、
（ｉ）がんまたは炎症性の状態などの疾患または状態、
（ｉｉ）がんまたは炎症性の状態などの疾患または状態の予後、
（ｉｉｉ）がんまたは炎症性の状態などの疾患または状態の処置の有効性、および／または
（ｉｖ）がんまたは炎症性の状態などの疾患または状態の増悪または退縮
の指標とする方法であって、前記方法は、
ａ）ｃｆＤＮＡ分子の配列リードのセットを提供するステップであって、前記配列リードが、参照ゲノムの選択されたゲノム領域にマッピングされる、ステップと、
ｂ）前記ゲノム領域内の複数の遺伝子変異体を含むセットの対立遺伝子頻度を決定するステップであって、前記セットが、目的の変異体を含む、ステップと、
ｃ）前記セット内の前記遺伝子変異体の前記対立遺伝子頻度の変動性値を決定するステップと、
ｄ）変動性値閾値および対立遺伝子頻度閾値を提供するステップと、
ｅ）前記変動性値が前記変動性閾値を下回るかどうかを決定するステップと、
ｆ）前記変動性値が前記変動性閾値を下回る場合、
（ｉ）前記目的の変異体の前記対立遺伝子頻度が前記対立遺伝子頻度閾値を上回る場合には前記目的の変異体が生殖系列起源を有するとコールし、
（ｉｉ）前記目的の変異体の前記対立遺伝子頻度が前記対立遺伝子頻度閾値を下回る場合には前記目的の変異体が体細胞起源を有するとコールするステップと
を含み、前記変動性値と前記変動性閾値との間の比較、および前記目的の変異体の対立遺伝子頻度と前記対立遺伝子頻度閾値との間の比較が、
（ｉ）がんまたは炎症性の状態などの疾患または状態、
（ｉｉ）がんまたは炎症性の状態などの疾患または状態の予後、
（ｉｉｉ）がんまたは炎症性の状態などの疾患または状態の処置の有効性、および／または
（ｉｖ）がんまたは炎症性の状態などの疾患または状態の増悪または退縮
を示す、方法。
【請求項３】
前記選択されたゲノム領域が、必要に応じて少なくとも１００ヌクレオチド、少なくとも５００ヌクレオチド、または少なくとも１０００ヌクレオチドの遺伝子、エクソン、イントロン、遺伝子の一部分である、請求項１または請求項２に記載の方法。
【請求項４】
前記変動性値が、標準偏差または分散である、請求項１から３のいずれか一項に記載の方法。
【請求項５】
前記対立遺伝子頻度閾値が、約１０％、約１１％、約１２％、約１３％、約１４％、約１５％、約１６％、約１７％、約１８％、約１９％、約２０％、約２１％、約２２％、約２３％、約２４％、約２５％、約２６％、約２７％、約２８％、約２９％、約３０％、約３１％、約３２％、約３３％、約３４％、または約３５％である、請求項１から４のいずれか一項に記載の方法。
【請求項６】
前記対立遺伝子頻度閾値が、経験的に決定される、請求項１から５のいずれか一項に記載の方法。
【請求項７】
前記変動性値が標準偏差であり、前記変動性閾値が標準偏差（ＳＴＤＥＶ）閾値である、請求項１から６のいずれか一項に記載の方法。
【請求項８】
前記ＳＴＤＥＶ閾値を下回るゲノム遺伝子座についてのＡＦ値が、前記ゲノム遺伝子座に関して低いコピー数多型（ＣＮＶ）を示す、請求項７に記載の方法。
【請求項９】
前記ＳＴＤＥＶ閾値を上回るゲノム遺伝子座についてのＡＦ値が、関連するゲノム遺伝子座に関して高いコピー数多型（ＣＮＶ）を示す、請求項７に記載の方法。
【請求項１０】
前記ゲノム領域が、１種または複数種のゲノム領域であり、前記ゲノム領域が、
（ｉ）表１の遺伝子のうちの少なくとも５種、少なくとも１０種、少なくとも１５種、少なくとも２０種、少なくとも２５種、少なくとも３０種、少なくとも３５種、少なくとも４０種、少なくとも４５種、少なくとも５０種、少なくとも５５種、少なくとも６０種、少なくとも６５種、少なくとも７０種、少なくとも７５種、少なくとも８０種、少なくとも８５種、少なくとも９０種、少なくとも９５種、もしくは９７種の少なくとも一部分、
（ｉｉ）表２の遺伝子の、少なくとも５種、少なくとも１０種、少なくとも１５種、少なくとも２０種、少なくとも２５種、少なくとも３０種、少なくとも３５種、少なくとも４０種、少なくとも４５種、少なくとも５０種、少なくとも５５種、少なくとも６０種、少なくとも６５種、少なくとも７０種、少なくとも７５種、少なくとも８０種、少なくとも８５種、少なくとも９０種、少なくとも９５種、少なくとも１００種、少なくとも１０５種、少なくとも１１０種、もしくは１１５種の少なくとも一部分、または
（ｉｉｉ）表３の遺伝子のうちの少なくとも１種、少なくとも２種、少なくとも３種、少なくとも４種、少なくとも５種、少なくとも６種、少なくとも７種、少なくとも８種、少なくとも９種、少なくとも１０種、少なくとも１１種、少なくとも１２種、少なくとも１３種、少なくとも１４種、少なくとも１５種、少なくとも１６種、少なくとも１７種、少なくとも１８種、少なくとも１９種、もしくは少なくとも２０種の少なくとも一部分
を含む、請求項１から９のいずれか一項に記載の方法。
【請求項１１】
前記ｃｆＤＮＡ分子が、血液、または血清などの体液から単離される、請求項１から１０のいずれか一項に記載の方法。
【請求項１２】
前記ｃｆＤＮＡ分子が、循環腫瘍ＤＮＡを含む、請求項１から１１のいずれか一項に記載の方法。
【請求項１３】
ｃｆＤＮＡ分子の配列リードのセットを提供するステップが、対象由来のｃｆＤＮＡをシーケンシングし、１種または複数種の遺伝子変異体を検出し、数量化するステップを含む、請求項１から１２のいずれか一項に記載の方法。
【請求項１４】
核酸ライブラリーがシーケンシング前に調製される、請求項１３に記載の方法。
【請求項１５】
ｃｆＤＮＡ分子が、バーコードとポリヌクレオチドの１つまたは複数の内在性配列の組合せによって固有に識別される、請求項１４に記載の方法。
【手続補正書】
【提出日】令和3年5月27日(2021.5.27)
【手続補正１】
【補正対象書類名】特許請求の範囲
【補正対象項目名】全文
【補正方法】変更
【補正の内容】
【特許請求の範囲】
【請求項１】
ＨＴＲＡ１核酸を標的とし、
以下より選択される群：
【化１】
2020521491.tif 000001
（ここで、大文字はＬＮＡヌクレオチドであり、小文字はＤＮＡヌクレオシドであり、シトシン残基は場合により５−メチルシトシンである）
より選択される、連続ヌクレオチド領域を含む、１０〜３０ヌクレオチドの長さのアンチセンスオリゴヌクレオチド。
【請求項２】
ＬＮＡヌクレオシドがベータ−Ｄ−オキシＬＮＡヌクレオシドである、請求項１に記載のアンチセンスオリゴヌクレオチド。
【請求項３】
連続ヌクレオチド領域のヌクレオチド間のヌクレオシド間連結が全てホスホロチオエートヌクレオチド間連結である、請求項１又は２に記載のアンチセンスオリゴヌクレオチド。
【請求項４】
ＴｓＴｓｍＣｓｔｓａｓｔｓｃｓｔｓａｓｍｃｓｇｓｃｓａｓＴｓＴｓＧ（配列番号６７，１）
（ここで、大文字はベータ−Ｄ−オキシＬＮＡヌクレオシドを表し、小文字はＤＮＡヌクレオシドであり、下付き文字ｓはホスホロチオエートヌクレオシド間連結を表し、ｍＣは５メチルシトシンベータ−Ｄ−オキシＬＮＡヌクレオシドを表し、ｍｃは５メチルシトシンＤＮＡヌクレオシドを表す）である、請求項１に記載のアンチセンスオリゴヌクレオチド又はその医薬的に許容可能な塩。
【請求項５】
ｍＣｓＴｓＴｓｍＣｓｔｓｔｓｃｓｔｓａｓｔｓｃｓｔｓａｓｍｃｓｇｓｃｓＡｓＴ（配列番号７３，１）
（ここで、大文字はベータ−Ｄ−オキシＬＮＡヌクレオシドを表し、小文字はＤＮＡヌクレオシドであり、下付き文字ｓはホスホロチオエートヌクレオシド間連結を表し、ｍＣは５メチルシトシンベータ−Ｄ−オキシＬＮＡヌクレオシドを表し、ｍｃは５メチルシトシンＤＮＡヌクレオシドを表す）である、請求項１に記載のアンチセンスオリゴヌクレオチド又はその医薬的に許容可能な塩。
【請求項６】
ＴｓＡｓｍＣｓＴｓｔｓｔｓａｓａｓｔｓａｓｇｓｃｓＴｓｍＣｓＡｓＡ  （配列番号８６，１）
（ここで、大文字はベータ−Ｄ−オキシＬＮＡヌクレオシドを表し、小文字はＤＮＡヌクレオシドであり、下付き文字ｓはホスホロチオエートヌクレオシド間連結を表し、ｍＣは５メチルシトシンベータ−Ｄ−オキシＬＮＡヌクレオシドを表し、ｍｃは５メチルシトシンＤＮＡヌクレオシドを表す）である、請求項１に記載のアンチセンスオリゴヌクレオチド又はその医薬的に許容可能な塩。
【請求項７】
【化２】
2020521491.tif 000002
である、請求項１に記載のアンチセンスオリゴヌクレオチド又はその医薬的に許容可能な塩。
【請求項８】
【化３】
2020521491.tif 000003
である、請求項１に記載のアンチセンスオリゴヌクレオチド又はその医薬的に許容可能な塩。
【請求項９】
【化４】
2020521491.tif 000004
である、請求項１に記載のアンチセンスオリゴヌクレオチド又はその医薬的に許容可能な塩。
【請求項１０】
請求項１〜９記載のオリゴヌクレオチドのいずれか１つの医薬的に許容可能な塩。
【請求項１１】
請求項１〜９のいずれか一項記載のオリゴヌクレオチド、及び該オリゴヌクレオチドに共有結合的に付着した少なくとも１つのコンジュゲート部分を含む、コンジュゲート。
【請求項１２】
請求項１〜１０に記載のオリゴヌクレオチド又は請求項１１に記載のコンジュゲートならびに医薬的に許容可能な希釈剤、溶媒、担体、塩及び／又はアジュバントを含む、医薬的組成物。
【請求項１３】
医薬的に許容可能な希釈剤を含む、請求項１２に記載の医薬的組成物。
【請求項１４】
前記医薬的に許容可能な希釈剤が、リン酸緩衝生理食塩水である、請求項１３に記載の医薬組成物。
【請求項１５】
前記オリゴヌクレオチドが医薬的に許容可能な塩である請求項１２〜１４のいずれか一項に記載の医薬組成物。
【請求項１６】
前記医薬的に許容可能な塩が、ナトリウム塩である、請求項１０に記載の医薬的な塩、又は請求項１２〜１５のいずれか一項に記載の医薬組成物。
【請求項１７】
請求項１〜１０のいずれか一項に記載のオリゴヌクレオチド又は請求項１１記載のコンジュゲート又は請求項１２〜１５のいずれか一項に記載の医薬組成物を有効量で細胞に投与することを含む、ＨＴＲＡ１を発現している標的細胞においてＨＴＲＡ１発現を調節するためのインビボ又はインビトロの方法。
【請求項１８】
医薬における使用のための、請求項１〜１０のいずれか一項に記載のオリゴヌクレオチド又は請求項１１に記載のコンジュゲート又は請求項１２〜１５のいずれか一項に記載の医薬的組成物。
【請求項１９】
黄斑変性症の処置又は予防における使用のための、請求項１〜１０のいずれか一項に記載のオリゴヌクレオチド又は請求項１１に記載のコンジュゲート又は請求項１２〜１５のいずれか一項に記載の医薬的組成物。
【請求項２０】
前記使用が、乾燥型ＡＭＤ、地図状萎縮又は中間ｄＡＭＤの処置のためである、請求項１９に記載のオリゴヌクレオチド。
【請求項２１】
黄斑変性症の処置又は予防のための医薬の製造のための、請求項１〜１０のいずれか一項に記載のオリゴヌクレオチド又は請求項１１に記載のコンジュゲート又は請求項１２〜１５のいずれか一項に記載の医薬的組成物の使用。
【請求項２２】
前記医薬が、乾燥型ＡＭＤ、地図状萎縮又は中間ｄＡＭＤの処置のためである、請求項２１に記載の使用。
【請求項２３】
請求項１〜１０のいずれか一項に記載のオリゴヌクレオチド又は請求項１１記載のコンジュゲート又は請求項１２〜１５のいずれか一項に記載の医薬的組成物の治療的又は予防的有効量を含む、黄斑変性症に罹患している又は感受性である被験者における、黄斑変性症の処置又は予防のための医薬組成物。
【請求項２４】
乾燥型ＡＭＤ、地図状萎縮又は中間ｄＡＭＤの処置のための、請求項２３に記載の医薬組成物。
【手続補正２】
【補正対象書類名】明細書
【補正対象項目名】配列表
【補正方法】変更
【補正の内容】
【配列表】
2020521491000001.app
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
Na/K ATPアーゼ/Src受容体複合体のポリペプチドアンタゴニストをコードする核酸配列を含む発現ベクターであって、ポリペプチドアンタゴニストをコードする核酸が、特定の細胞または組織においてポリペプチドアンタゴニストを発現するためのプロモーターに作動可能に連結されている、発現ベクター。
【請求項２】
ポリペプチドアンタゴニストが、配列番号１の配列またはその断片および/もしくはバリアントを含む、請求項１に記載の発現ベクター。
【請求項３】
ポリペプチドアンタゴニストが、配列番号５の配列またはその断片および/もしくはバリアントを含む、請求項１または２に記載の発現ベクター。
【請求項４】
プロモーターが、アディポネクチンプロモーター、アルブミンプロモーター、メラニンプロモーター、フォン・ウィルブランド因子プロモーター、アルファミオシン重鎖プロモーター、SGLT2プロモーター、MyoDプロモーター、グリア線維性酸性タンパク質(GFAP)プロモーターおよびシナプシンＩ(SYN1)プロモーターから選択される、請求項１〜３のいずれか１項に記載の発現ベクター。
【請求項５】
プロモーターが肝臓特異的、内皮細胞特異的または脂肪細胞特異的である、請求項１〜４のいずれか１項に記載の発現ベクター。
【請求項６】
発現ベクターがレンチウイルスベクターである、請求項１〜５のいずれか１項に記載の発現ベクター。
【請求項７】
請求項１〜６のいずれか１項に記載の発現ベクターを含むウイルス粒子。
【請求項８】
請求項１〜６のいずれか１項に記載の発現ベクターを含む標的細胞。
【請求項９】
標的細胞が哺乳動物の細胞である、請求項８に記載の標的細胞。
【請求項１０】
細胞がマウス細胞またはヒト細胞である、請求項８に記載の標的細胞。
【請求項１１】
標的細胞が脂肪細胞、肝臓細胞または内皮細胞である、請求項８に記載の標的細胞。
【請求項１２】
請求項１〜６のいずれか１項に記載の発現ベクターと、薬学的に許容されるビヒクル、キャリアまたは補形剤とを含む医薬組成物。
【請求項１３】
Src関連疾患を処置するための、請求項１２に記載の医薬組成物。
【請求項１４】
Src関連疾患が、血管疾患、循環器疾患、前立腺癌、乳癌、神経芽腫、組織線維症、虚血/再灌流損傷、骨粗鬆症、網膜症および肥満症からなる群から選択される、請求項１３に記載の医薬組成物。
【請求項１５】
Src関連疾患が循環器疾患であり、循環器疾患が尿毒症性心筋症である、請求項１４に記載の医薬組成物。
【請求項１６】
Src関連疾患が肥満症である、請求項１４に記載の医薬組成物。
【手続補正書】
【提出日】令和3年5月11日(2021.5.11)
【手続補正１】
【補正対象書類名】明細書
【補正対象項目名】０００８
【補正方法】変更
【補正の内容】
【０００８】
したがって、本発明は、液体飲料を小売容器に包装する方法を提供するものであり、それは、小売容器に固定式逆止弁を通過させる穴を組み込まないが、テクスチャを有する密閉小売容器に包装されたミルク飲料であって、小売環境でより長い保存期間を提供し得るものを生成するものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，８３５，４０２号明細書
（特許文献２）  国際公開第９６／３３６１８号
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
ＦＣガンマ受容体との結合を減少させるＫａｂａｔの２３８位の変異を含むヒトＩｇＧ１ Ｆｃドメインポリペプチドであって、２３８位のプロリン（Ｐ２３８）がリジン、セリン、アラニン、アルギニンおよびトリプトファンから選択される残基のうち１つに変異している、ヒトＩｇＧ１ Ｆｃドメインポリペプチド。
【請求項２】
Ｐ２３８がリジンに変異している、請求項１記載のヒトＩｇＧ１ Ｆｃドメインポリペプチド。
【請求項３】
配列番号１３４（ＩｇＧ１ａ−Ｐ２３８Ｋ（−Ｃ末端リジン））、配列番号６６（ＩｇＧ１ａ−Ｐ２３８Ｋ）、配列番号１３５（ＩｇＧ１ｆ−Ｐ２３８Ｋ（−Ｃ末端リジン））、または配列番号６７（ＩｇＧ１ｆ−Ｐ２３８Ｋ）から選択されるアミノ酸配列を含む、請求項２記載のヒトＩｇＧ１ Ｆｃドメインポリペプチド。
【請求項４】
（Ａ）異種ポリペプチド、および（Ｂ）請求項１〜３のいずれかに記載のヒトＩｇＧ１ Ｆｃドメインを含む、融合ポリペプチド。
【請求項５】
以下を含む、抗体ポリペプチド：
（１）以下を含む単一可変ドメイン：
（ａ）配列番号１のアミノ酸配列を含むＣＤＲ１領域、または配列番号１のＣＤＲ１領域と最大で２アミノ酸異なるＣＤＲ１領域、
（ｂ）配列番号２のアミノ酸配列を含むＣＤＲ２領域、または配列番号２のＣＤＲ１領域と最大で３アミノ酸異なるＣＤＲ２領域、および
（ｃ）配列番号３のアミノ酸配列を含むＣＤＲ３領域、または配列番号３のＣＤＲ１領域と最大で６アミノ酸異なるＣＤＲ３領域、
ここで、該単一可変ドメインはＣＤ４０に結合する；ならびに
（２）請求項１〜３のいずれかに記載のヒトＩｇＧ１ Ｆｃドメイン。
【請求項６】
該単一可変ドメインがＣＤ４０の活性に拮抗する、請求項５記載の抗体ポリペプチド。
【請求項７】
安定性が増加している、請求項５記載の抗体ポリペプチド。
【請求項８】
（ａ）ＣＤＲ１領域が、配列Ｘ１−Ｔｙｒ−Ｇｌｕ−Ｙ１−Ｔｒｐ（配列番号４）からなり、ここでＸ１はＡｓｐまたはＧｌｙであり、Ｙ１はＭｅｔまたはＬｅｕであり；
（ｂ）ＣＤＲ２領域が、配列Ａｌａ−Ｉｌｅ−Ａｓｎ−Ｐｒｏ−Ｘ２−Ｇｌｙ−Ｙ２−Ｚ２−Ｔｈｒ−Ｔｙｒ−Ｔｙｒ−Ａｌａ−Ａｓｐ−Ｓｅｒ−Ｖａｌ−Ａ２−Ｇｌｙ（配列番号５）からなり、ここでＸ２はＧｌｎ、Ｔｙｒ、Ｈｉｓ、ＴｒｐまたはＡｌａであり、Ｙ２はＴｈｒ、Ａｓｎ、Ｇｌｙ、ＳｅｒまたはＧｌｎであり、Ｚ２はＡｒｇ、Ｌｅｕ、Ｔｙｒ、ＨｉｓまたはＰｈｅであり、Ａ２はＬｙｓまたはＭｅｔであり；かつ
（ｃ）ＣＤＲ３領域が、配列Ｘ３−Ｐｒｏ−Ｙ３−Ｚ３−Ａ３−Ｂ３−Ｃ３（配列番号６）からなり、ここでＸ３はＬｅｕ、ＰｒｏまたはＧｌｕであり、Ｙ３はＰｈｅ、Ｇｌｎ、Ｔｈｒ、ＭｅｔまたはＴｙｒであり、Ｚ３はＡｒｇ、Ｔｙｒ、Ｐｒｏ、Ｌｅｕ、Ｔｈｒ、Ｉｌｅ、Ｐｈｅ、ＭｅｔまたはＳｅｒであり、Ａ３はＰｈｅまたはＴｙｒであり、Ｂ３はＳｅｒ、Ｇｌｎ、Ｈｉｓ、Ａｓｐ、Ｌｙｓ、ＧｌｕまたはＧｌｙであり、Ｃ３はＡｓｐ、Ｔｙｒ、ＧｌｕまたはＳｅｒである、請求項５記載の抗体ポリペプチド。
【請求項９】
（ａ）ＣＤＲ１領域が、配列番号１（３ｈ−５６−２６９のＣＤＲ１）のアミノ酸配列からなり、
（ｂ）ＣＤＲ２領域が、配列番号２（３ｈ−５６−２６９のＣＤＲ２）のアミノ酸配列からなり、かつ
（ｃ）ＣＤＲ３領域が、配列番号３（３ｈ−５６−２６９のＣＤＲ３）のアミノ酸配列からなる、請求項５記載の抗体ポリペプチド。
【請求項１０】
単一可変ドメインのアミノ酸配列が配列番号４１（３ｈ−５６−２６９配列）に記載されている、請求項５記載の抗体ポリペプチド。
【請求項１１】
配列番号１３６または配列番号７０のアミノ酸配列を含む抗体ポリペプチド。
【請求項１２】
配列番号１３６または配列番号７０のアミノ酸配列からなる抗体ポリペプチド。
【請求項１３】
配列番号１３７または配列番号７１のアミノ酸配列を含む抗体ポリペプチド。
【請求項１４】
配列番号１３７または配列番号７１のアミノ酸配列からなる抗体ポリペプチド。
【請求項１５】
請求項１〜１４のいずれかに記載のポリペプチドをコードする核酸。
【請求項１６】
請求項１５記載の核酸分子を含む発現ベクター。
【請求項１７】
請求項１６記載の発現ベクターで形質転換された細胞。
【請求項１８】
請求項５〜１４のいずれかに記載の抗体ポリペプチドおよび薬学的に許容され得る担体を含む医薬組成物。
【請求項１９】
対象の免疫疾患を処置または予防するための、請求項１８記載の医薬組成物。
【請求項２０】
免疫疾患が、アジソン病、アレルギー、アナフィラキシー、強直性脊椎炎、喘息、アテローム性動脈硬化症、アトピー性アレルギー、耳の自己免疫疾患、眼の自己免疫疾患、自己免疫性肝炎、自己免疫性耳下腺炎、気管支喘息、冠動脈心疾患、クローン病、糖尿病、精巣上体炎、糸球体腎炎、グレーブス病、ギランバレー症候群、橋本病、溶血性貧血、特発性血小板減少性紫斑病、炎症性腸疾患、組換え製剤に対する免疫応答、全身性エリテマトーデス、多発性硬化症、重症筋無力症、天疱瘡、乾癬、リウマチ熱、関節リウマチ、サルコイドーシス、強皮症、シェーグレン症候群、脊椎関節症、甲状腺炎、移植拒絶反応、血管炎および潰瘍性大腸炎からなる群から選択される、請求項１９記載の医薬組成物。
【請求項２１】
免疫応答が、血友病の組換え第ＶＩＩ因子製剤に対するものである、請求項２０記載の医薬組成物。
【請求項２２】
必要とする対象の免疫応答を処置または予防するための薬剤の調製における、請求項５〜１４のいずれかに記載の抗体ポリペプチドの使用。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
ＩＸ−Ｅ２挿入部位に挿入された第１のヌクレオチド配列、Ｌ５−Ｅ４挿入部位に挿入された第２のヌクレオチド配列、または前記ＩＸ−Ｅ２挿入部位に挿入された前記第１のヌクレオチド配列および前記Ｌ５−Ｅ４挿入部位に挿入された前記第２のヌクレオチド配列の両方を含む、組換えアデノウイルスであって、前記ＩＸ−Ｅ２挿入部位が、アデノウイルスＩＸ遺伝子の終止コドンとアデノウイルスＩＶａ２遺伝子の終止コドンとの間に位置しており、前記Ｌ５−Ｅ４挿入部位が、アデノウイルスファイバー遺伝子の終止コドンとアデノウイルスＥ４遺伝子のＯＲＦ６またはＯＲＦ６／７の終止コドンとの間に位置している、組換えアデノウイルス。
【請求項２】
前記第１のヌクレオチド配列が、Ａｄ５ゲノム（配列番号１）の４０２９に対応するヌクレオチドと４０９３に対応するヌクレオチドとの間に、またはＡｄ３５ゲノム（配列番号４１）の３８９９に対応するヌクレオチドと３９７０に対応するヌクレオチドとの間に挿入されている、請求項１に記載の組換えアデノウイルス。
【請求項３】
前記第２のヌクレオチド配列が、Ａｄ５ゲノム（配列番号１）の３２７８５に対応するヌクレオチドから３２９１６に対応するヌクレオチドの間に、またはＡｄ３５ゲノム（配列番号４１）の３１７９９に対応するヌクレオチドと３１８２１に対応するヌクレオチドとの間に挿入されている、請求項２に記載の組換えアデノウイルス。
【請求項４】
前記第１のヌクレオチド配列が、少なくとも１つの第１の導入遺伝子を含む、および／または前記第２のヌクレオチド配列が、少なくとも１つの第２の導入遺伝子を含む、請求項１に記載の組換えアデノウイルス。
【請求項５】
前記第１のヌクレオチド配列が、第１のプロモーターをさらに含み、前記第１の導入遺伝子が、前記第１のプロモーターに作動可能に連結されている、および／または前記第２のヌクレオチド配列が、第２のプロモーターをさらに含み、前記第２の導入遺伝子が、前記第２のプロモーターに作動可能に連結されている、請求項４に記載の組換えアデノウイルス。
【請求項６】
前記ＩＸ−Ｅ２挿入部位に挿入された前記第１のヌクレオチド配列が、５’から３’の方向に、
（ｉ）第１のポリアデニル化シグナル、
（ｉｉ）必要に応じた第２のポリアデニル化シグナル、
（ｉｉｉ）プロモーター、
（ｉｖ）導入遺伝子、
（ｖ）第３のポリアデニル化シグナル、および
（ｖｉ）第４のポリアデニル化シグナルを含み、
前記必要に応じた第２のポリアデニル化シグナルが、前記第１のポリアデニル化シグナルとは逆の転写方向にあり、前記第１のポリアデニル化シグナルが、前記ＩＸ遺伝子のポリアデニル化シグナルであり、前記第３のポリアデニル化シグナルが、前記導入遺伝子のポリアデニル化シグナルであり、前記第４のポリアデニル化シグナルが、前記アデノウイルスＩＶａ２遺伝子のポリアデニル化シグナルである、請求項５に記載の組換えアデノウイルス。
【請求項７】
Ｌ５−Ｅ４挿入部位に挿入された前記第２のヌクレオチド配列が、５’から３’の方向に、
（ｉ）第１のポリアデニル化シグナル、
（ｉｉ）必要に応じた第２のポリアデニル化シグナル、
（ｉｉｉ）前記第２のプロモーター、
（ｉｖ）前記第２の導入遺伝子、
（ｖ）第３のポリアデニル化シグナル、および
（ｖｉ）第４のポリアデニル化シグナルを含み、
前記必要に応じた第２のポリアデニル化シグナルが、前記第１のポリアデニル化シグナルとは逆の転写方向にあり、前記第１のポリアデニル化シグナルが、前記ファイバー（Ｌ５）遺伝子のポリアデニル化シグナルであり、前記第３のポリアデニル化シグナルが、前記導入遺伝子のポリアデニル化シグナルであり、前記第４のポリアデニル化シグナルが、前記アデノウイルスＥ４遺伝子のＯＲＦ６もしくはＯＲＦ６／７のポリアデニル化シグナルである、請求項５または請求項６に記載の組換えアデノウイルス。
【請求項８】
Ｅ１ｂ−１９Ｋ挿入部位、Ｅ３挿入部位、またはＥ４挿入部位に挿入されたヌクレオチド配列をさらに含む、請求項１から７のいずれか一項に記載の組換えアデノウイルス。
【請求項９】
過剰増殖性細胞において選択的に複製する、請求項１から８のいずれか一項に記載の組換えアデノウイルス。
【請求項１０】
過剰増殖性細胞において前記第１の導入遺伝子、前記第２の導入遺伝子、または前記第１の導入遺伝子および前記第２の導入遺伝子の両方を選択的に発現する、請求項１から９のいずれか一項に記載の組換えアデノウイルス。
【請求項１１】
腫瘍成長の阻害を、それを必要とする対象において行うための医薬組成物であって、前記組成物は、前記腫瘍の成長を阻害するための有効量の、請求項１から１０のいずれか一項に記載の組換えアデノウイルスを含む、医薬組成物。
【請求項１２】
請求項１から１０のいずれか一項に記載の組換えアデノウイルスと、少なくとも１つの薬学的に許容される担体または希釈剤とを含む、医薬組成物。
【請求項１３】
アデノウイルスの製剤であって、
（ａ）請求項１から１０のいずれか一項に記載の組換えアデノウイルスと、
（ｂ）少なくとも１つの緩衝剤と、
（ｃ）少なくとも１つの張度改変剤と、
（ｄ）少なくとも１つの糖もしくは少なくとも１つの安定剤、またはその両方とを含み、約７．０〜約９．０の範囲のｐＨを有する、製剤。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
以下の工程を含む、上皮オルガノイドを入手するための方法：
1つまたは複数の上皮管、上皮管断片、および/またはそれから単離された上皮幹細胞もしくは上皮前駆細胞を基本培地の存在下で培養する工程であって、
該培地が、(a)FGFおよび/またはニコチンアミドを含まず、かつ(b)BMPシグナル伝達の阻害剤を含まず、
該培地が、5回以上の継代にわたってオルガノイドを支持する、
工程。
【請求項２】
培地がWntアゴニストを含む、請求項1記載の方法。
【請求項３】
WntアゴニストがCHIR99021である、請求項2記載の方法。
【請求項４】
Wntアゴニストが、Wnt、Wnt3a、ノリン、R-スポンジン1、R-スポンジン2、R-スポンジン3、R-スポンジン4、およびGSK阻害剤のうちの1つまたは複数より選択される、請求項2記載の方法。
【請求項５】
培地がEGFを含む、請求項1〜4のいずれか一項記載の方法。
【請求項６】
培地が、B27成分および/またはN2成分および/またはN-アセチルシステインを含む、請求項1〜5のいずれか一項記載の方法。
【請求項７】
前記上皮細胞または前駆幹細胞がヒト細胞、マウス細胞、またはラット細胞である、請求項1〜6のいずれか一項記載の方法。
【請求項８】
上皮幹細胞または上皮前駆細胞が肝臓上皮幹細胞、膵臓上皮細胞、または腸上皮細胞である、請求項1〜7のいずれか一項記載の方法。
【請求項９】
培地が、上皮オルガノイドを長期培養するのに有効であり、該長期培養が約50回以上の継代である、請求項1〜8のいずれか一項記載の方法。
【請求項１０】
1つまたは複数の上皮管、上皮管断片、および/または上皮幹細胞もしくは上皮前駆細胞を細胞外マトリックスと接触させて培養する工程をさらに含む、請求項1〜9のいずれか一項記載の方法。
【請求項１１】
1つまたは複数の上皮管、上皮管断片、および/または上皮幹細胞もしくは上皮前駆細胞を、細胞外マトリックスに由来する低濃度の支持体と接触させて培養する工程をさらに含む、請求項1〜10のいずれか一項記載の方法。
【請求項１２】
細胞外マトリックス濃度が0.1〜50％(v/v)である、請求項11記載の方法。
【請求項１３】
上皮管および/または上皮管断片に由来する上皮幹細胞または上皮前駆細胞を懸濁液中で培養する工程をさらに含む、請求項1〜9のいずれか一項記載の方法。
【請求項１４】
懸濁液が、約0.1％(v/v)以下の濃度を有する細胞外マトリックスを含む、請求項13記載の方法。
【請求項１５】
細胞外マトリックスがマトリゲル(商標)を含む、請求項10〜12および14のいずれか一項記載の方法。
【請求項１６】
上皮管、上皮管断片、および/またはそれから単離された上皮幹細胞もしくは上皮前駆細胞が無傷の組織から入手される、請求項1〜15のいずれか一項記載の方法。
【請求項１７】
上皮オルガノイドを成熟条件および/または分化条件に供する工程をさらに含む、請求項1〜16のいずれか一項記載の方法。
【請求項１８】
オルガノイドが、肝臓オルガノイド、膵臓オルガノイド、または腸オルガノイドである、請求項8記載の方法に従って入手される、オルガノイド。
【請求項１９】
創薬スクリーニングを行う;毒性をアッセイする;発生学、細胞系譜、および分化経路を調査する;組換え遺伝子発現を含む遺伝子発現を研究する;損傷および修復に関与する機構を調査する;炎症性疾患および感染症を調査する;細胞形質転換の発症メカニズムおよびがんの原因を研究する方法であって、請求項1〜17のいずれか一項記載の上皮オルガノイドを入手する工程を含む、方法。
【請求項２０】
それを必要とする対象における肝臓の障害、状態、もしくは疾患の処置または再生医療において使用するための、請求項18記載の肝臓オルガノイド。
【請求項２１】
それを必要とする対象における膵臓の障害、状態、もしくは疾患の処置または再生医療において使用するための、請求項18記載の膵臓オルガノイド。
【請求項２２】
それを必要とする対象における腸の障害、状態、もしくは疾患の処置または再生医療において使用するための、請求項18記載の腸オルガノイド。
【請求項２３】
基本培地を含む、上皮オルガノイドを入手するための培地であって、
該基本培地が、(a)FGFおよび/またはニコチンアミドを含まず、かつ(b)BMPシグナル伝達の阻害剤を含まず、
該基本培地が、5回以上の継代にわたってオルガノイドを支持することができる、
培地。
【請求項２４】
Wntアゴニストをさらに含む、請求項23記載の培地。
【請求項２５】
WntアゴニストがCHIR99021である、請求項24記載の培地。
【請求項２６】
Wntアゴニストが、Wnt、Wnt3a、ノリン、R-スポンジン1、R-スポンジン2、R-スポンジン3、R-スポンジン4、およびGSK阻害剤のうちの1つまたは複数より選択される、請求項24記載の培地。
【請求項２７】
EGFをさらに含む、請求項23〜26のいずれか一項記載の培地。
【請求項２８】
B27成分および/またはN2成分および/またはN-アセチルシステインをさらに含む、請求項23〜27のいずれか一項記載の培地。
【請求項２９】
細胞外マトリックスをさらに含む、請求項23〜28のいずれか一項記載の培地。
【請求項３０】
細胞外マトリックスの濃度が0.1〜50％(v/v)である、請求項29記載の培地。
【請求項３１】
細胞外マトリックスの濃度が約0.1％(v/v)以下である、請求項29記載の培地。
【請求項３２】
細胞外マトリックスがマトリゲル(商標)を含む、請求項29〜31のいずれか一項記載の培地。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
共振回路であって、
入力と、出力と、閉ループ周波数応答と、を有する、信号ループであって、
１次周波数応答および１次Ｑ係数を有する１次共振器と、
調整可能な周波数および２次Ｑ係数を有する少なくとも１つの調整可能な共振器であって、前記１次Ｑ係数は、前記２次Ｑ係数よりも約１０倍以上大きい、少なくとも１つの調整可能な共振器と、
利得係数を適用する調整可能なスケーリングブロックと、を備える、信号ループと、
前記少なくとも１つの調整可能な共振器および前記調整可能なスケーリングブロックに接続されるコントローラと、を備え、前記コントローラは、前記少なくとも１つの調整可能な共振器の前記調整可能な周波数、および前記調整可能なスケーリングブロックの前記利得係数を制御することにより、前記閉ループ周波数応答を所望の閉ループ周波数応答になるように調整する命令を備える、共振回路。
【請求項２】
前記１次Ｑ係数は、前記２次Ｑ係数よりも約１００倍以上大きい、請求項１に記載の共振回路。
【請求項３】
前記１次共振器の前記１次周波数応答は、前記所望の周波数応答の所定の誤差係数以内であり、前記コントローラは、前記閉ループ周波数応答を前記１次共振器の前記所定の誤差係数以内に制御する、請求項１に記載の共振回路。
【請求項４】
前記１次共振器は、固定共振器、または周波数をチューニング可能である共振器である、請求項１に記載の共振回路。
【請求項５】
前記１次共振器は、アンテナであり、前記アンテナは、前記信号ループの前記入力を備え、請求項１に記載の共振回路。
【請求項６】
前記信号ループは、調整可能な遅延係数を適用する位相シフタをさらに備え、前記コントローラは、前記位相シフタを制御するように接続される、請求項１に記載の共振回路。
【請求項７】
直列または並列に接続される複数の調整可能な共振器をさらに備える、請求項１に記載の共振回路。
【請求項８】
前記１次共振器は、電気共振器、電磁共振器、機械共振器、または材料特性に基づいた共振器である、請求項１に記載の共振回路。
【請求項９】
前記信号ループ内で並列または直列に接続される複数の１次共振器をさらに備える、請求項１に記載の共振回路。
【請求項１０】
前記信号ループは、
前記１次共振器を備える第１の構成要素と、
前記少なくとも１つの調整可能な共振器を備える、第２の構成要素と、を備え、
前記第１の構成要素は、第１の材料から製造され、前記第２の構成要素は、前記第１の材料とは異なる第２の材料から製造される、請求項１に記載の共振回路。
【請求項１１】
前記第１の構成要素および前記第２の構成要素は、別個かつ異なる構成要素として製造される、請求項１１に記載の共振回路。
【請求項１２】
共振回路の閉ループ周波数応答を修正する方法であって、前記共振回路は、入力と、出力と、１次周波数応答を有する１次共振器と、調整可能な周波数を有する少なくとも１つの調整可能な共振器と、利得係数を有する調整可能なスケーリングブロックと、を有する、信号ループを備え、前記方法は、
前記少なくとも１つの調整可能な共振器の前記周波数、および前記調整可能なスケーリングブロックの前記利得係数を制御して、前記共振回路の前記閉ループ周波数応答を所望の閉ループ周波数応答になるように調整するステップを含み、前記１次共振器のＱ係数は、前記少なくとも１つの調整可能な共振器のＱ係数よりも約１０倍以上大きい、方法。
【請求項１３】
前記１次共振器の前記Ｑ係数は、前記少なくとも１つの調整可能な共振器の前記Ｑ係数よりも約１００倍以上大きい、請求項１２に記載の方法。
【請求項１４】
前記１次共振器の前記１次周波数応答を調整するステップをさらに含む、請求項１２に記載の方法。
【請求項１５】
前記１次共振器は、アンテナであり、前記アンテナは、前記信号ループの前記入力を備える、請求項１２に記載の方法。
【請求項１６】
前記信号ループは、位相シフタをさらに備え、前記閉ループ周波数応答を調整することは、前記位相シフタの位相を調整することを含む、請求項１２に記載の方法。
【請求項１７】
直列または並列に接続される複数の調整可能な共振器をさらに備える、請求項１２に記載の方法。
【請求項１８】
前記１次共振器は、電気共振器、電磁共振器、機械共振器、または材料特性に基づいた共振器である、請求項１２に記載の方法。
【請求項１９】
前記信号ループ内で並列または直列に接続される複数の１次共振器をさらに備える、請求項１２に記載の方法。
【請求項２０】
前記信号ループは、
前記１次共振器を備える第１の構成要素と、
前記少なくとも１つの調整可能な共振器を備える第２の構成要素と、を備え、
前記第１の構成要素は、第１の材料から製造され、前記第２の構成要素は、前記第１の材料とは異なる第２の材料から製造される、請求項１２に記載の方法。
【請求項２１】
前記第１の構成要素および前記第２の構成要素は、別個かつ異なる構成要素として製造される、請求項２０に記載の方法。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
電磁放射線を受動的に減衰させるための遮蔽装置であって、
各セルが互いに間隔を置いて配置された複数の共振器を含む複数のセルを備え、
前記複数のセルは複数のユニットセルに配置され、各ユニットセルは、前記複数のセルのうち少なくとも２つの隣接セルを囲む共通ループを備え、
前記複数のユニットセルの各々は、前記遮蔽装置が少なくとも１つの選択周波数について負の屈折率を有し、それによって前記少なくとも１つの選択周波数の電磁放射線が減衰されるように非対称構造を有し、
前記複数のユニットセルの各々は、第１の対の隣接共振器を有する第１のセルと第２の対の隣接共振器を有する第２のセルとを備え、前記第１の対の隣接共振器間の間隔が前記第２の対の隣接共振期間の間隔とは異なるため、前記複数のユニットセルのうち少なくとも１つが非対称構造を有し、
前記ユニットセルの各々は、前記共通ループを囲む少なくとも２つの追加の共振器を含み、
前記追加の共振器がスプリットリング共振器であり、第１の追加の共振器のギャップが第２の追加の共振器のギャップに対して前記ユニットセルの対向端に位置決めされる、
遮蔽装置。
【請求項２】
前記共通ループが、前記ユニットセル内のセルごとの共振器として機能する、請求項１に記載の遮蔽装置。
【請求項３】
前記複数のユニットセルのうちの少なくとも１つにおける前記複数の共振器の各々の幅が自身の長さと異なるため、前記複数のユニットセルのうち少なくとも１つが非対称構造を有する、請求項１に記載の遮蔽装置。
【請求項４】
前記複数のセルの少なくとも１つにおける前記複数の共振器の各々が、ループ内にギャップを含む導電性材料のループから形成されたスプリットリング共振器である、請求項１〜３のいずれか一項に記載の遮蔽装置。
【請求項５】
セル内の第１の共振器上の前記ギャップが、前記セル内の第２の共振器上の前記ギャップの位置の対向位置にある、請求項４に記載の遮蔽装置。
【請求項６】
前記複数のセルのうちの少なくとも１つにおける前記複数の共振器の各々が、互いに同心である、請求項１〜５のいずれか一項に記載の遮蔽装置。
【請求項７】
前記複数のユニットセルのうち少なくとも１つが、前記共通ループと、前記ユニットセル内の各セルの隣接共振器との間に間隔を有し、前記間隔が不均一であるため、前記複数のユニットセルのうち少なくとも１つが非対称構造を有する、請求項１〜６のいずれか一項に記載の遮蔽装置。
【請求項８】
前記各ユニットセルが２つの選択周波数について負の屈折率を有し、それによって前記２つの選択周波数の電磁放射線が受動的に減衰される、請求項１〜７のいずれか一項に記載の遮蔽装置。
【請求項９】
前記複数のセルが、基板に取り付けられた遮蔽層内にある、請求項１〜８のいずれか一項に記載の遮蔽装置。
【請求項１０】
前記基板が誘電材料から形成される、請求項９に記載の遮蔽装置。
【請求項１１】
前記基板が可撓性材料から形成される、請求項９または１０に記載の遮蔽装置。
【請求項１２】
前記複数のセルが前記基板上に印刷される、請求項９〜１１のいずれか一項に記載の遮蔽装置。
【請求項１３】
電磁放射線を放出するエミッタを備え、
前記遮蔽装置が、使用時に前記遮蔽装置がユーザと前記エミッタとの間にあるように、前記エミッタに隣接して位置する、請求項１〜１２のいずれか一項に記載の遮蔽装置を組み込んだユーザ機器。
【請求項１４】
前記複数のセル内のセルの数が、前記遮蔽機器の表面積と前記ユーザ機器の表面積とが一致する数である、請求項１３に記載のユーザ機器。
【請求項１５】
請求項１〜１２のいずれか一項に記載の遮蔽装置を組み込んだ衣料品。
【誤訳訂正書】
【提出日】令和2年12月22日(2020.12.22)
【誤訳訂正１】
【訂正対象書類名】明細書
【訂正対象項目名】０００６
【訂正方法】変更
【訂正の内容】
【０００６】
高品質な膜とみなされる１つ又は複数の基準を満たす、低温、例えば、約５００℃以下又は約４００℃以下でのコンフォーマルな、化学当量及び非化学当量の窒化ケイ素膜の堆積は、長年の産業の課題となっている。高品質な膜を要求する、アドバンスドパターニング又はスペーサーのような半導体分野において、幾つかの用途が存在する。窒化ケイ素膜は、他の窒化ケイ素膜と比較して、以下の特性：２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する場合は、「高品質」であるとみなされる。これらの又は他の実施形態において、窒化ケイ素膜についての屈折率は、１．８以上であるべきである。
【誤訳訂正２】
【訂正対象書類名】明細書
【訂正対象項目名】０００７
【訂正方法】変更
【訂正の内容】
【０００７】
したがって、当技術分野において、コンフォーマルな高品質の窒化ケイ素膜であって、その膜が、他の堆積方法又は前駆体を使用した他の窒化ケイ素膜と比較して、以下の特性：１．８以上の屈折率、２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する窒化ケイ素膜を堆積するための、低温（例えば、約５００℃以下の処理温度）の方法を提供するためのニーズが存在する。
【誤訳訂正３】
【訂正対象書類名】明細書
【訂正対象項目名】００１２
【訂正方法】変更
【訂正の内容】
【００１２】
高品質な膜とみなされる１つ又は複数の基準を満たす、低温、例えば、５００℃以下又は４００℃以下でのコンフォーマルな、化学当量及び非化学当量の窒化ケイ素膜の堆積は、長年の産業の課題となっている。説明を通じて、「窒化ケイ素」という用語は、本明細書で使用される場合、化学当量又は非化学当量の窒化ケイ素、炭窒化ケイ素、炭酸窒化ケイ素、窒化ケイ素アルミニウム、及びそれらの混合物からなる群より選択されるケイ素及び窒素を含む膜を言い表す。窒化ケイ素膜は、他の窒化ケイ素膜と比較して、以下の特性：２．０グラム毎立方センチメートル（ｇ／ｃｃ）以上の密度、低いウェットエッチ速度（希釈フッ酸（ＨＦ）中で測定された場合）、及びそれらの組み合わせのうち１つ又は複数を有する場合は、「高品質」であるとみなされる。これらの又は他の実施形態において、窒化ケイ素膜についての屈折率は、１．８以上であるべきである。１つの実施形態において、本明細書で説明されるのは、式ＩＩＡ〜ＩＩＤを有するケイ素前駆体化合物を使用した、ケイ素含有膜を形成するための組成物又は材料である。また、本明細書で説明されるのは、窒素と任意選択で希ガス又は不活性ガスとを含むプラズマプロセスにおいて、低温又は約２０℃〜約５００℃の範囲の１つ又は複数の堆積温度で、本明細書で説明される式ＩＩＡ〜ＩＩＤを使用して窒化ケイ素膜を堆積する、原子層堆積（ＡＬＤ）又はＡＬＤ的方法である。
【誤訳訂正４】
【訂正対象書類名】明細書
【訂正対象項目名】００５３
【訂正方法】変更
【訂正の内容】
【００５３】
工程ｂ〜ｅを３００サイクル繰り返した。得られた窒化ケイ素膜の屈折率は２．０であったのに対し、サイクルあたりの成長（ＧＰＣ）は約０．９０Å／サイクルであり、高品質の窒化ケイ素を、ビス（ジシリルアミノ）シラン前駆体化合物を使用して得ることができることを示した。
【誤訳訂正５】
【訂正対象書類名】明細書
【訂正対象項目名】００５５
【訂正方法】変更
【訂正の内容】
【００５５】
更なる実験において、工程ｄでのプラズマ電力を２５０ワットに設定したことを除き、電力工程ｂ〜ｅを３００サイクル繰り返した。得られた窒化ケイ素の膜厚は、２３０Åであり、０．７７Å／サイクルのサイクルあたりの成長（ＧＰＣ）に相当した。窒化ケイ素膜の屈折率は２．０であった。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
カメラを通過する流れにおいて移動する材料の異種混合物の各一片の画像データをカメラによって取り込むステップであって、前記材料の異種混合物の前記材料は、異なるクラスまたは異なるタイプの材料の集合である、ステップと、
１または複数の指定されたクラスまたはタイプの材料を有する前記材料を第１分類に分類するステップと、
前記１または複数の指定されたクラスまたはタイプの材料を有さない前記材料を第２分類に分類するステップと、
自動仕分け装置によって、前記第１分類に分類された前記材料を前記第２分類に分類された前記材料から仕分けるステップと、
を備え、
前記材料の分類は、材料の異種混合物の各一片から捕捉された前記画像データで検出された特徴を、トレーニング段階で生成された知識ベースに保存された特徴と比較する１または複数の機械学習アルゴリズムを採用したニューラルネットワークによって実行される、方法。
【請求項２】
前記トレーニング段階中に、前記１または複数の機械学習アルゴリズムが、前記１または複数の指定されたクラスまたはタイプの材料と、知識ベースを作成する捕捉された画像データから抽出されたそれらの特徴との間の関係を学習する、請求項１に記載の方法。
【請求項３】
前記トレーニング段階中に、対照サンプルが前記カメラを通り送達され、前記１または複数の機械学習アルゴリズムが、前記第１分類に分類される１または複数の指定されたクラスまたはタイプの材料を視覚的に表す特徴を検出、抽出、学習する、請求項１に記載の方法。
【請求項４】
円形を有し、かつまた形成された孔を有する材料が前記第２分類に分類される、請求項１に記載の方法。
【請求項５】
前記第１分類に分類された前記材料は、貨幣コイン、宝石、貴金属、プリント路回路基板およびそれらの組み合わせのうちの少なくとも１つからなるリストから選択される、請求項１に記載の方法。
【請求項６】
所定の大きさ未満の大きさを有する前記材料の異種混合物を生成するために、前記画像データを取り込む前に材料のバルクがふるいを通るステップをさらに備える、請求項１に記載の方法。
【請求項７】
カメラを通過する流れにおいて移動する材料の異種混合物の各一片の画像データを取り込むよう構成されたカメラであって、前記材料の異種混合物の前記材料は、異なるクラスまたは異なるタイプの材料の集合である、カメラと、
指定されたクラスまたはタイプの材料を有する前記材料を第１分類に分類するよう構成された回路と、
前記指定されたクラスまたはタイプの材料を有さない前記材料を第２分類に分類するよう構成された回路と、
前記第１分類に分類された前記材料を前記第２分類に分類された前記材料から仕分けるよう構成された自動仕分け装置と、
を備え、
前記材料の分類は、材料の異種混合物の各一片から捕捉された前記画像データで検出された特徴を、トレーニング段階で生成された知識ベースに保存された特徴と比較する１または複数の機械学習アルゴリズムを採用したニューラルネットワークによって実行される、システム。
【請求項８】
前記トレーニング段階中に、前記１または複数の機械学習アルゴリズムが、前記１または複数の指定されたクラスまたはタイプの材料と、知識ベースを作成する捕捉された画像データから抽出されたそれらの特徴との間の関係を学習する、請求項７に記載のシステム。
【請求項９】
円形を有し、かつ形成された孔を有する材料を前記第２分類に分類するよう構成された回路をさらに備える、請求項８に記載のシステム。
【請求項１０】
前記画像データを取り込む前に、所定の大きさ未満の大きさを有する前記材料の異種混合物を分離するためのふるいをさらに備える、請求項７に記載のシステム。
【請求項１１】
前記トレーニング段階では、対照サンプルが前記カメラを通り送達され、前記１または複数の機械学習アルゴリズムが、前記第１分類に分類される１または複数の指定されたクラスまたはタイプの材料を視覚的に表す特徴を検出、抽出、学習する、請求項７に記載のシステム。
【請求項１２】
前記第１分類は、貨幣コイン、宝石、貴金属、プリント路回路基板およびそれらの組み合わせのうちの少なくとも１つからなる、請求項７に記載のシステム。
【請求項１３】
前記材料の異種混合物がゾルバを含む、または、前記材料の異種混合物が使用済み自動車からのスクラップを含む、請求項７に記載のシステム。
【請求項１４】
実行されると仕分けのために材料を分類する方法が実行されるコンピュータ可読記憶媒体に格納されたコンピュータプログラム製品であって、
視覚システムカメラを通過する流れにおいて移動する材料の異種混合物の各一片の画像データを受けとるステップであって、前記材料の異種混合物の前記材料が異なるクラスまたは異なるタイプの材料の集合である、ステップと、
指定されたクラスまたはタイプの材料を有する前記材料を貨幣コインとして指定された第１分類に分類するステップと、
前記指定されたクラスまたはタイプの材料を有さない前記材料を第２分類に分類するステップと、
分類に関する情報を自動仕分け装置に送るステップであって、その結果、前記自動仕分け装置が前記第１分類に分類された前記材料を前記第２分類に分類された前記材料から仕分けることができる、ステップと、
を含み、
前記材料の分類は、材料の異種混合物の各一片から捕捉された前記画像データで検出された特徴を、トレーニング段階で生成された知識ベースに保存された特徴と比較する１または複数の機械学習アルゴリズムを採用したニューラルネットワークによって実行される、コンピュータプログラム製品。
【請求項１５】
前記トレーニング段階中に、前記１または複数の機械学習アルゴリズムが、前記１または複数の指定されたクラスまたはタイプの材料と、知識ベースを作成する捕捉された画像データから抽出されたそれらの特徴との間の関係を学習し、
任意選択で、前記トレーニング段階中に、対照サンプルが前記カメラを通り送達され、前記１または複数の機械学習アルゴリズムが、前記第１分類に分類される１または複数の指定されたクラスまたはタイプの材料を視覚的に表す特徴を検出、抽出、学習し、
任意選択で、前記第１分類に分類された前記材料は、貨幣コイン、宝石、貴金属、プリント路回路基板およびそれらの組み合わせのうちの少なくとも１つからなるリストから選択される、請求項１４に記載のコンピュータプログラム製品。